(57)【要約】【課題】透明な樹脂基材へ、オンデマンド方式のＵＶインクジェットプリントによって装飾した後に、光沢のある反射素材のフィルムを施された装飾プレートを提供。【解決手段】透明樹脂基材（Ａ）上に、ＵＶインクジェットプリント部（Ｂ）／反射素材部（Ｃ）／保護素材部（Ｄ）の各層を形成してなる反射素材付装飾プレート、１）ＵＶインクジェットプリント部（Ｂ）は、透明樹脂基材（Ａ）上に、ＵＶインクジェットプリントにより文字や絵柄、画像などが付着形成される、２）反射素材部（Ｃ）は、ＵＶインクジェットプリント部（Ｂ）上に、光沢のある反射素材の粘着剤付フィルムを貼付することにより形成される、ことを特徴とする反射素材付装飾プレート。【選択図】図１
2013199104.tif 000002
【特許請求の範囲】
【請求項１】
透明樹脂基材（Ａ）上に、ＵＶインクジェットプリント部（Ｂ）／反射素材部（Ｃ）／保護素材部（Ｄ）の各層を形成してなる装飾プレートであって、
１）ＵＶインクジェットプリント部（Ｂ）は、透明樹脂基材（Ａ）上に、ＵＶインクジェットプリントにより文字や絵柄、画像などが付着形成される、
２）反射素材部（Ｃ）は、ＵＶインクジェットプリント部（Ｂ）上に、光沢のある反射素材の粘着剤付フィルムを貼付することにより形成される、ことを特徴とする反射素材付装飾プレート。
【請求項２】
反射素材部（Ｃ）が、自然光や一般的な照明器具より照射された光に対し、反射するホログラム柄や無柄の金色又は銀色のフィルム素材であることを特徴とする請求項１に記載の反射素材付装飾プレート。
【請求項３】
保護素材部（Ｄ）が、自然光や一般的な照明器具より照射された光に対し、反射する素材を保護するために貼付加工することにより構成されることを特徴とする請求項１に記載の反射素材付装飾プレート。
【請求項４】
前記透明樹脂基材が、ポリスチレン製、ポリカーボネート製、アクリル製又はＡＢＳ製の射出成型又は切削加工のプレートであることを特徴とする請求項１〜３のいずれか１項に記載の反射素材付装飾プレート。
【請求項５】
スライド式ルーペ、携帯電話又はスマートフォンの外装パネル用であることを特徴とする請求項１〜４のいずれか１項に記載の反射素材付装飾プレート。
【発明の詳細な説明】
【技術分野】
【０００１】本発明は、反射素材付装飾プレートに関し、さらに詳しくは、透明な樹脂基材へ、鮮明で発色に優れたオンデマンド方式のＵＶインクジェットプリントによって装飾した後に、あらかじめ透明な樹脂基材の形状に合わせて形取られた光沢のある粘着剤付反射素材のフィルムと保護素材を施された反射素材付装飾プレートに関する。
【背景技術】
【０００２】近年に開発されたオンデマンド方式によるＵＶインクジェットプリンタは、立体物の樹脂材やガラス材、木材、石材製品など様々な媒体に直接印刷を施す技術が進歩した為、透明な樹脂基材に印刷が施された装飾プレートは、各種製品の外装媒体として用いられ、スライド式ルーペや携帯電話、スマートフォン等の外装パネル、小物製品のプレート等に多用されている。これらの商品は、競合他社との差別化を図るため、高いデザイン性・高付加価値が要求されるようになり、小ロット・多品種に対応できるＵＶインクジェットプリント方式によるオンデマンド印刷での装飾が求められるようになってきた。【０００３】ＵＶインクジェットプリントは、コンピュータで制作されたデータを出力することにより立体プレートに直接プリントする手法であり、従来のシルク印刷やパット印刷等とは異なり、画像やグラデーションなども再現でき、さらには印刷に必要な版が不要な無版印刷法であるため、印刷用の版が必要な印刷法方に比べて短納期に対応でき、しかも小ロット多品種でも比較的に安価での対応が可能である等の利点がある。【０００４】液体の印刷インクは光に透過する特性があるため、本来、透明プレートにプリントする場合には、色が透けてしまい不鮮明な装飾となり、これを解決する手段として、必ず印刷を施す前か後に白色のインクで文字や絵柄、画像の色を透けないように施工する必要がある、【０００５】したがって、透明な樹脂基材に、ＵＶインクジェットプリント方式等の印刷では、鮮明でインクの発色が優れ、デザイン性に優れた装飾は最終工程に白色のインクを施した工法なしではできなかった。
【発明の概要】
【発明が解決しようとする課題】
【０００６】本発明の目的は、上記従来技術の問題点に鑑み、光が透明な液体や固体を通す特性を活かし、透明な樹脂基材に、液体インクでありながらも、鮮明で発色が優れたＵＶインクジェットプリントによる印刷が施された装飾プレートに光の照度に応じて紫外・可視・返赤外のほとんどの領域で変動する光沢のある反射素材加工を施して色の透けを利用し、透過したインクで表現された図柄を光沢のある反射素材の特性を活かし、光を照射することにより煌びやかに見せる反射素材付装飾プレートを提供することにある。
【課題を解決するための手段】
【０００７】本発明者は、上記課題を解決するために鋭意検討を重ねた結果、透明樹脂基材（Ａ）の上に、ＵＶインクジェットプリント法により所定の文字や絵柄、画像を付着形成させたＵＶインクジェットプリント部（Ｂ）上に、光沢のある反射素材を貼付することにより形成される反射素材部（Ｃ）と保護素材部（Ｄ）とで構成した反射素材付装飾プレートを制作したところ上記課題を解決でき、透明な樹脂基材に透過性があり高濃度のインクで発色が優れたＵＶインクジェットプリントによる装飾が施された装飾プレートに、光沢のある反射素材の貼付加工を施し、透過したインクで表現された図柄を反射素材の特性を活かすことにより、光を照射することで煌びやかに見せる装飾プレートが得られることを見出し、本発明を完成するに至った。【０００８】すなわち、本発明の第１の発明によれば、透明樹脂基材（Ａ）上に、ＵＶインクジェットプリント部（Ｂ）／反射素材部（Ｃ）／保護素材部（Ｄ）の各層を形成してなる装飾プレートであって、
１）ＵＶインクジェットプリント部（Ｂ）は、透明樹脂基材（Ａ）の裏面にＵＶインクジェットプリント後に紫外線照射を施し硬化処理することにより形成される、
２）反射素材部（Ｃ）は、ＵＶインクジェットプリント部（Ｂ）上に、貼付形成される。
３）保護素材部（Ｄ）は、ＵＶインクジェットプリント部（Ｃ）上に、光沢のある反射素材であるフィルムのシート素材に粘着剤加工を施した汎用品及び別製品素材を貼り合わせ、透明プレート基材の形状に合わせて、抜き型又はコンピューによりカットしたことにより形成される、ことを特徴とする反射素材付装飾プレートが提供される。【０００９】また、本発明の第２の発明によれば、第１の発明において、光沢のある反射素材部（Ｄ）が、ホログラムフィルムシート又は光沢のある金色や光沢のある銀色のフィルムのシート素材に粘着剤加工をした汎用品及び特注品材料をフィルム系の保護素材と貼り合わせた後に、透明プレート基材の形状に合わせて、抜き型又はコンピュータによりカットしたことにより形成される、ことを特徴とする反射素材付装飾プレートが提供される。【００１０】また、本発明の第３の発明によれば、透明樹脂基材（Ａ）上に、ＵＶインクジェットプリント部（Ｂ）／反射素材部（Ｃ）の各層を形成してなる装飾プレートであって、
１）ＵＶインクジェットプリント部（Ｂ）は、透明樹脂基材（Ａ）上に、ＵＶインクジェットプリント法により所定の文字や絵柄、画像を付着形成される、
２）反射素材部（Ｃ）は、ＵＶインクジェットプリント部（Ｂ）上に、光沢反射素材を貼付することにより形成される、
３）保護素材部（Ｄ）は、反射素材部（Ｃ）の素材を保護するためのものであり、装飾を演出する上において、直接的な役割は無いので使用せずに装飾プレートを形成する場合もあることを特徴とする反射素材付装飾プレートが提供される。【００１１】また、本発明の第４の発明によれば、第１〜第３の発明において、反射素材（Ｃ）が、光沢素材で粘着剤を施されたホログラムフィルム・光沢のある金色フィルム・光沢のある銀色フィルムによるものであることを特徴とする反射素材付装飾プレートが提供される。【００１２】また、本発明の第５の発明によれば、第１〜第４のいずれかの発明において、前記透明樹脂基材が、ポリスチレン製、ポリカーボネート製、アクリル製又はＡＢＳ製の射出成型又は、切削加工のプレートであることを特徴とする請求項１〜４のいずれか１項に記載の装飾プレートであることを特徴とする反射素材付装飾プレートが提供される。【００１３】また、本発明の第６の発明によれば、第１〜５のいずれかの発明において、携帯電話、スマートフォン等の外装パネルや小物製品のプレート用であることを特徴とする反射素材付装飾プレートが提供される。【００１４】また、本発明の第７の発明によれば、第１〜６のいずれかの発明において、スライド式ルーペ用のプレート用であることを特徴とする反射素材付装飾プレートが提供される。
【発明の効果】
【００１５】本発明によれば、これまで得られなかった、光を通す透明な樹脂基材と、光を通す液体インクを使用したＵＶインクジェットプリントによって装飾が施されたプレートと光を反射させる光沢のある反射素材を組み合わせることにより、光を透過したインキの色彩を反射素材で煌びやかに演出する装飾プレートを得ることができ、ＵＶインクジェットプリントによる装飾であるため、今までのプリント方式では成しえなかった、デザイン性に優れた装飾を経済的に小ロット・短納期に対応した高付加価値の反射素材付装飾プレートを提供することができる。したがって、本発明による装飾プレートは、特に、近年需要が増大している高齢者向けルーペや小物であったり、若い世代を中心として、いまや社会現象と言えるほど販売市場が拡大し続けている携帯電話又はスマートフォンの外装パネルの装飾プレートとして好適に用いることができる。
【図面の簡単な説明】
【００１６】
【図１】本発明の装飾プレートの実施形態の一例を示した説明図である。
【図２】本発明の装飾プレートの印刷方法を示した説明図である。
【図３】本発明の装飾プレートの煌びやかさの測定結果である。
【発明を実施するための最良の形態】
【００１７】本発明は、透明樹脂基材（Ａ）上に、ＵＶインクジェットプリント部（Ｂ）／反射素材部（Ｃ）／保護素材部（Ｄ）の各層を形成してなる装飾プレートであって、
１）ＵＶインクジェットプリント部（Ｂ）は透明樹脂基材（Ａ）上に、ＵＶインクジェットプリント後に紫外線照射を施し硬化処理することにより、所定の文字や絵柄、画像を付着形成される。
２）反射素材部（Ｃ）は、ＵＶインクジェットプリント部（Ｂ）上に、光沢のある反射素材を貼付することにより形成される。
３）保護素材部（Ｄ）は、反射素材部（Ｃ）上に貼付することにより形成される、ことを特徴とする装飾プレートに関する。【００１８】１．装飾プレートの構成
本発明の透明樹脂基材に装飾が施された装飾プレートは、透明樹脂基材（Ａ）／ＵＶインクジェットプリント部（Ｂ）／反射素材部（Ｃ）／保護素材部（Ｄ）をこの順で含有するものであり、その形態の一例を図１に示す。【００１９】本発明の装飾プレートにおいては、上述の各部の層以外に、従来公知の各種の層を、用途に応じて適宜追加しても良い。
例えばプリントを施す樹脂材料の性質により、下処理のアンカー加工を加えたり、保護素材の貼り合わせを省いたりしても良い。【００２０】（１）透明樹脂基材（Ａ）
本発明において使用する透明樹脂基材（Ａ）は、プラスチック等の合成樹脂によって構成され、目的の装飾プレートの形状により射出成型もしくは、切削加工による種々の形状をなすものである。印刷を施す透明樹脂基材（Ａ）の表面、裏面は、目的に応じて適宜決定することができる。本発明において、「透明」とは、透明または半透明を意味する。
代表的な材料としては、高い透明性が必要とされるスライド式ルーペや小物、携帯電話又はスマートフォン等のプレート用では、ポリスチレン、ポリカーボネート、アクリル樹脂、ＡＢＳ樹脂が好適に用いられる事が多い。【００２１】（２）ＵＶインクジェットプリント部（Ｂ）
本発明においては、透明樹脂基材（Ａ）の上に、プリントと同時に紫外線を照射させインクを硬化処理させるＵＶインクジェットプリント法による装飾により、構成されるＵＶインクジェットプリント部（Ｂ）が設けられる。
このＵＶインクジェットプリント部は、透明樹脂基材を視認方向（表面）から見た場合に、透けて見ることができる装飾となるものである。【００２２】ＵＶインクジェットプリントの方法としては、コンピュータにより文字や絵柄、画像を反転させた装飾を透明樹脂素材（Ａ）上に視認面（表面）の裏側より印刷を施し、付着形成される。（図２）【００２３】ＵＶインクジェットプリントに用いられる有色塗料としては、通常用いられているレギュラーインクと補色（白色）も目的に応じて用いることができる。一般的には顔料系の塗料を用いてプリントと同時にプリンタに搭載された紫外線照射装置により硬化させるので、製造時間を短縮する事により、結果的にはコストダウンを行うことができる。【００２４】ＵＶインクジェットプリント部は、一度のプリントで複数色の装飾を行うことができるが、一度のプリントのみならず、二度以上のプリントにより構成することもできる。これにより、先に述べた装飾絵柄全体を透過させたデザイン法とは異なった表現が可能となる。
例えば、装飾絵柄を部分的に２重にインクを塗布させ光の透過率を下げたり、部分的に白色のインクを塗布させるデータを作成し、完全に不透過の状態を作り出すことを考慮したデザインを提案することにより、光沢のある反射素材を貼り付けると複雑で繊細な装飾を施すことが可能となる。【００２５】（３）反射素材部（Ｃ）
本発明の装飾プレートにおいては、ＵＶインクジェットプリント部（Ｂ）上に、光沢のある反射素材を貼り付けることにより反射素材部（Ｃ）が形成される、反射素材部（Ｃ）は、ＵＶインクジェットプリント部（Ｂ）に貼付を施す事前に、光沢のある反射素材として用いるホログラムフィルムや光沢のある金色または光沢のある銀色フィルムに粘着剤を施した保護素材（Ｄ）を貼り合わせた後に、抜き型またはコンピュータカットにより透明樹脂素材の形状に合わせてカットしたものを用意し、装飾されたプレートに貼り合わせて形成する。【００２６】（４）保護素材部（Ｄ）
本発明の装飾プレートにおいては、反射素材部（Ｃ）上に、さらに保護素材部（Ｄ）を設けた構成とする。特に反射素材部（Ｃ）が薄いフィルム系の素材を使用するため、ＵＶインクジェットプリント（Ｂ）上に貼り合わせる加工を施す作業時に、反射素材部（Ｃ）に傷がつかないようにするため、保護素材部を設けることが好ましい。具体的には、保護素材としては幾度と行った検証結果から、貼り合わせ時に必要な粘着剤付のポリプロピレンを主原料とした合成紙フィルムやＰＥＴフィルム系で２５〜８０＃程度の厚みがある物が好ましい。
また保護素材部は、プリンタで装飾された面に直接貼り合わせることはなく、視認面からも見えることがないので素材自体の色は不透明色や透明なものでよい。【００２７】２．装飾プレートの製造方法
本発明の装飾プレートは、透明樹脂基材（Ａ）上に、ＵＶインクジェットプリント部（Ｂ）／反射素材部（Ｃ）／保護素材部（Ｄ）の各層を、この順に形成することにより製造される。【００２８】（１）ＵＶインクジェットプリント部（Ｂ）加工工程
本発明の装飾プレートの製造におけるＵＶインクジェットプリント部（Ｂ）加工工程は、透明樹脂基材（Ａ）上に、顔料系のインクを用いて塗布と同時にプリンタに搭載された紫外線照射機により硬化させ形成するものである、塗膜の形成方法等の詳細については、前述したとおりである。【００２９】（２）反射素材部（Ｃ）加工工程
ＵＶインクジェットプリント部（Ｂ）プリント工程によりＵＶインクジェットプリント部（Ｂ）が形成された後、その上層に反射素材部（Ｃ）加工工程を行う。
前述したように、光沢のあるホログラムフィルムや光沢のある金色、光沢のある銀色などのフィルム素材が好ましい。それぞれの方法等の詳細については前述したとおりである。【００３０】（３）保護素材部（Ｄ）加工工程
反射素材部（Ｃ）加工工程により反射素材部（Ｃ）が形成された後、保護素材部（Ｄ）加工工程を行ってもよい。反射素材部（Ｃ）が薄いフィルム系の素材を使用するため、ＵＶインクジェットプリント（Ｂ）上に貼り合わせ加工を施す作業時に、フィルムが破損しないように保護素材部を設けることが好ましい。詳細については前述したとおりである。【００３１】３．装飾プレートの特徴
本発明の装飾プレートは、透明な樹脂基材へ、オンデマンド方式のＵＶインクジェットプリントによって装飾した後に、光沢のある反射素材のフィルムを施されたものであることを特徴とする。【００３２】（１）煌びやかさ
本発明の装飾プレートは、透明樹脂基材と光沢のある反射素材の組み合わせにより装飾に光を加えることにより、煌びやかで光沢のある発色が優れたものであることを特徴とする反射素材付装飾プレートである。【００３３】（２）耐久性
本発明は、装飾プレート視認面の裏側にプリント及び光沢のある反射素材の貼付加工を施すため直接装飾に触れることがなく、装飾の耐久性が優れたものであることを特徴とする反射素材付装飾プレートである。【００３４】４．反射素材付装飾プレートの用途
本発明による装飾プレートは前述のような特徴を有することから、これまで得られなかった煌びやかで光沢のある発色の優れた装飾を簡便なＵＶインクジェットプリントにより行うことができるものである。
したがって、本発明により、近年需要が高まっている短納期、小ロット、多品種でデザイン性に優れた付加価値の高い装飾を簡便に行うことができるため、煌びやかで耐久性の高い装飾を求められるスライド式ルーペや小物類、携帯電話又はスマートフォンの外装パネル用に好適に用いることができ、この分野において極めて有用なものである。
【実施例】
【００３５】以下、実施例により本発明を具体的に説明するが、本発明はその要旨を逸脱しない限りこれら実施例によって制約をうけるものではない。なお、実施例および比較例において、物性の反射評価は次の通りである。【００３６】１．測定法
（１）煌びやかさ
作成した装飾プレートをそれぞれ１０人が目視し、模様が認識しやすく極めて煌びやかで光沢のある発色が良いと感じたものをＡ、模様の発色が悪いと感じたものをＢとして評価し、Ａが８人以上であったものを◎、Ａが３人以上であったものを○、Ａが０人であったものを×とした。（図３）【００３７】２．材料
透明樹脂基板（Ａ）として、７５ｍｍ×３５ｍｍ×２ｍｍのポリスチレン製の射出成型板をスライド式ルーペのパネル用透明樹脂基板とした。【００３８】３．反射素材付装飾プレートの作成
【実施例１】透明樹脂基板（Ａ）として２．に記載したポリスチレン製の射出成型板をスライド式ルーペのパネル用透明樹脂基板とし、これの裏面にＵＶインクジェットプリンタにより、反転させた花柄の画像をプリントし、ＵＶインクジェットプリント部（Ｂ）を作成した。
次にＵＶインクジェットプリント部（Ｂ）の上層に、事前に保護素材（Ｄ）と貼り合わせ透明樹脂基板（Ａ）の形状にカットしたホログラムフィルムを、光沢のある反射素材（Ｃ）として用いて貼り合わせ、ルーペ本体と組み合わせて完成品とした。
このスライド式ルーペのパネル用透明樹脂基板について評価を行った。
（評価結果を図３に示す）【００３９】（比較例１）
反射素材部（Ｃ）を形成せず、ＵＶインクジェットプリント部（Ｂ）上に、白色でプリントを施し、実施例１と同様にしてスライド式ルーペのパネル用透明樹脂基板を作成した。
このスライド式ルーペのパネル用透明樹脂基板についても実施例１と同様に評価を行った。
（評価結果を図３に示す）【００４０】４．スライド式ルーペのパネルの実装と評価
実施例１で得られたスライド式ルーペのパネル透明樹脂基板を作成した後、スライド式ルーペのパネルとして実装したところ、ＵＶインクジェットプリントによる装飾が煌びやかでありながらも鮮明に発色良く現れ、３ヶ月間通常に使用しても装飾の色あせ等が見られず、煌びやかでありながらも鮮明で発色が良い装飾が維持された。したがって、本発明による装飾プレートをスライド式ルーペの外装パネルとして用いた際に、有効であることが示された。【００４１】図３の結果から、実施例１と比較例１とを対比すると、本発明の特定事項である、反射素材部（Ｃ）が形成されていない点で本発明の範囲を満たさない比較例１では、装飾の煌びやかさが極端に劣るのに比べて、実施例１による反射素材付装飾プレートは、装飾の煌びやかさ、鮮明さのどちらも良好な装飾プレートが得られた。
【産業上の利用可能性】
【００４２】本発明による反射素材付装飾プレートにより、透明な樹脂基材に煌びやかさがありながらも鮮明で発色が優れ、耐久性が高いＵＶインクジェットプリントによる装飾が施された装飾プレートを経済的に提供できることから、高度なデザイン性が求められる分野に特に好適に用いることができ、その工業的価値は極めて大きい。
【符号の説明】
【００４３】（Ａ）透明樹脂基材
（Ｂ）ＵＶインクジェットプリント部
（Ｃ）反射素材部
（Ｄ）保護素材部
【図１】
2013199104.tif 000003
【図２】
2013199104.tif 000004
【図３】
2013199104.tif 000005